(57)【要約】【課題】回路規模を抑えつつ良好な色調でＬＥＤを駆動することのできるＬＥＤ駆動回路、照明装置および電気光学装置を提供する。【解決手段】異なる発光ピーク波長を有する複数のＬＥＤを駆動するＬＥＤ駆動回路であって、複数の駆動電圧を生成するための入力電圧および当該入力電圧に対する基準電圧が供給され、第１の制御信号に基づいて前記入力電圧の中から第１の出力電圧および第２の出力電圧を生成する第１の電源回路と、前記第１の出力電圧、前記第２の出力電圧および前記基準電圧が供給され、第２の制御信号に基づいて前記ＬＥＤの駆動電圧を選択して出力する第２の電源回路と、を具備する。【選択図】図１
2006332022.tif 000002
【特許請求の範囲】
【請求項１】
異なる複数のＬＥＤを駆動するＬＥＤ駆動回路であって、
複数の駆動電圧を生成するための入力電圧と、当該入力電圧に対する基準電圧とが供給されるとともに、第１の制御信号に基づいて前記入力電圧の中から第１の出力電圧と第２の出力電圧とを生成する第１の電源回路と、
前記第１の出力電圧と、前記第２の出力電圧と、前記基準電圧とが供給されるとともに、第２の制御信号に基づいて前記ＬＥＤの駆動電圧として選択して出力する第２の電源回路と、
を具備することを特徴とするＬＥＤ駆動回路。
【請求項２】
前記第１の電源回路は、前記基準電圧に対して前記入力電圧を昇圧して複数の電圧を生成する電圧昇圧部と、
当該電圧昇圧部から供給された複数の電圧及び前記基準電圧について、前記第１の制御信号に基づいて選択するとともに、前記第１の出力電圧および前記第２の出力電圧として出力する電圧選択部と、
を有することを特徴とする請求項１に記載のＬＥＤ駆動回路。
【請求項３】
前記第１の電源回路は、
抵抗が直列に接続された抵抗ラダー回路の両端に対して前記入力電圧と前記基準電圧とが供給されるとともに、前記入力電圧及び前記基準電圧の範囲内で分圧する電圧分圧部と、
当該電圧分圧部から供給された複数の電圧及び前記基準電圧について、前記第１の制御信号に基づいて選択するとともに、前記第１の出力電圧および前記第２の出力電圧として出力する電圧選択部と、
を有することを特徴とする請求項１に記載のＬＥＤ駆動回路。
【請求項４】
前記第２の電源回路は、
抵抗が直列に接続された抵抗ラダー回路の両端に対して、前記第１の出力電圧と前記第２の出力電圧とが供給されるとともに、前記第１の出力電圧及び前記第２の出力電圧の範囲内で分圧する電圧分圧部と、
当該電圧分圧部から供給された複数の電圧について前記第２の制御信号に基づいて前記ＬＥＤの駆動電圧として選択して出力する電圧選択部と、
を有することを特徴とする請求項１に記載のＬＥＤ駆動回路。
【請求項５】
異なる複数のＬＥＤを駆動するＬＥＤ駆動回路であって、
複数の駆動電流を生成するための入力電圧と、前記入力電圧に対する基準電圧とが供給されるとともに、第１の制御信号に基づいて前記入力電圧から第１の出力電流を生成する第１の電源回路と、
前記第１の出力電流と、前記基準電圧とが供給されるとともに、第２の制御信号に基づいて前記ＬＥＤの駆動電流を出力する第２の電源回路と、
を具備することを特徴とするＬＥＤ駆動回路。
【請求項６】
前記第１の電源回路は、
複数のトランジスタのゲートが互いに接続されたカレントミラー回路が構成されるとともに、当該カレントミラー回路に対して前記入力電圧が供給される電流増幅部と、
複数のトランジスタにより前記電流増幅部から出力される電流を前記第１の制御信号に基づいて制御するとともに、当該制御による複数に電流の和を第１の出力電流として出力する電流制御部と、
を有することを特徴とする請求項５に記載のＬＥＤ駆動回路。
【請求項７】
前記第２の電源回路は、
スイッチング素子を備えるとともに前記第２の制御信号として矩形波が前記スイッチング素子に供給され、当該矩形波に基づいて前記第１の出力電流をパルス幅変調して前記ＬＥＤの駆動電流を出力するパルス幅変調回路を有することを特徴とする請求項５に記載のＬＥＤ駆動回路。
【請求項８】
請求項１乃至７のいずれか一項に記載のＬＥＤ駆動回路を備えたことを特徴とする照明装置。
【請求項９】
請求項８に記載の照明装置と電気光学パネルとを備えたことを特徴とする電気光学装置。
【発明の詳細な説明】
【技術分野】
【０００１】
本発明は、ＬＥＤ駆動回路、照明装置および電気光学装置に関する。
【背景技術】
【０００２】
液晶ディスプレイといった電気光学装置のバックライトでは、光源として、従来の冷陰極蛍光管（ＣＣＦＬ）方式に代わり、赤（Ｒ）、緑（Ｇ）、青（Ｂ）といった異なる発光ピーク波長を有する複数のＬＥＤを用いる方式が注目されている。これにより、極めて高い色純度を実現し、冷陰極蛍光管よりも高い色再現性を実現できる。
【０００３】
上述のＬＥＤは、ＬＥＤに供給される駆動電源により輝度を調整できる。ＬＥＤごとに輝度を細かく調整することにより、色調を精細に調整し、高い色再現性を実現できる。つまり、電気光学装置の高画質化には、ＬＥＤに供給される駆動電源を細かく調整することが重要である。
【０００４】
ここで、特許文献１では、周囲の明るさに応じて液晶ディスプレイのバックライトに用いられるＬＥＤに供給される駆動電源を調整することにより、液晶ディスプレイの視認性の向上および消費電力の低減を図る方法が提案されている。
【０００５】
特許文献１のＬＥＤ駆動回路は、抵抗を直列に接続することで入力電圧を分圧する分圧回路と、制御信号が供給されると、この制御信号に応じて、分圧された電圧のうちいずれかを選択して出力する選択回路と、を有する。したがって、このＬＥＤ駆動回路によれば、制御信号に応じて、複数の電圧の中から選択できるので、ＬＥＤに供給される駆動電圧を細かく調整して、周囲の明るさに対応できる。
【特許文献１】特開２００３−２１５５３４号公報
【発明の開示】
【発明が解決しようとする課題】
【０００６】
ところで、分圧回路を有する上述のＬＥＤ駆動回路において、ＬＥＤの色調を調整するために、出力電圧を細かく調整しようとすると、分圧回路を構成する抵抗の数を増加させる必要がある。
例えば、分圧回路の両端にそれぞれ０Ｖ、４Ｖの電圧が供給されているものとする。この場合において、０Ｖから４Ｖまでの範囲の電圧を、２００ｍＶ刻みで出力するためには、抵抗が２０個必要となる。また、上述の範囲の電圧を、１００ｍＶ刻みで出力するためには、抵抗が４０個必要となる。
以上より、出力電圧を細かく調整しようとすると、より多くの抵抗が必要となり、ＬＥＤ駆動回路の回路規模が増大するという問題がある。
【０００７】
本発明は、上述の事情に鑑みてなされたもので、回路規模を抑えつつ出力電圧を細かく調整できるＬＥＤ駆動回路、照明装置および電気光学装置を提供することを目的とする。
【課題を解決するための手段】
【０００８】
本発明のＬＥＤ駆動回路は、異なる発光ピーク波長を有する複数のＬＥＤを駆動するＬＥＤ駆動回路であって、複数の駆動電圧を生成するための入力電圧、および、当該入力電圧に対する基準電圧が供給され、第１の制御信号に基づいて前記入力電圧の中から第１の出力電圧、および、第２の出力電圧を選択して出力する第１の電源回路と、前記第１の出力電圧、前記第２の出力電圧、および、前記基準電圧が供給され、第２の制御信号に基づいて前記ＬＥＤの駆動電圧を選択して出力する第２の電源回路と、を具備することを特徴とする。
【０００９】
本発明によれば、第１の電源回路と第２の電源回路とを２段に接続してＬＥＤ駆動回路を構成した。このＬＥＤ駆動回路では、まず、第１の電源回路で、入力電圧および基準電圧から、第１の出力電圧および第２の出力電圧を生成する。次に、第２の電源回路で、第１の出力電圧および第２の出力電圧から、ＬＥＤの駆動電圧を生成する。よって、第１の電源回路は、２つの出力電圧を生成する回路構成であり、第２の電源回路は、第１の電源回路で生成された２つの出力電圧から、ＬＥＤの駆動電圧を生成する回路構成であるから、第１の電源回路および第２の電源回路の回路規模をそれぞれ抑制できる。したがって、従来のように電源回路を１段で構成した場合に比べ、無駄な回路を削減できるため、回路規模を抑えつつ、ＬＥＤの駆動電圧を細かく調整できる。
【００１０】
また、上述のＬＥＤ駆動回路では、前記第１の電源回路は、前記入力電圧を昇圧して複数の電圧を生成する電圧昇圧部と、当該電圧昇圧部から供給された複数の電圧を前記第１の制御信号に基づいて選択して前記第１の出力電圧、および、前記第２の出力電圧として出力する電圧選択部と、を有することが好ましい。
【００１１】
本発明によれば、まず、電圧昇圧部で、基準電圧に対して入力電圧を昇圧して、複数の電圧を生成する。次に、電圧選択部で、生成した複数の電圧の中から２つを選択する。よって、第１の出力電圧および第２の出力電圧を、入力電圧以上の値で生成できる。したがって、第１の出力電圧および第２の出力電圧を広い範囲で調整できる。
【００１２】
また、上述のＬＥＤ駆動回路では、前記第１の電源回路は、抵抗が直列に接続された抵抗ラダー回路の両端に前記入力電圧および前記基準電圧が供給され前記入力電圧を分圧する電圧分圧部と、当該電圧分圧部から供給された複数の電圧を前記第１の制御信号に基づいて選択して前記第１の出力電圧および前記第２の出力電圧として出力する電圧選択部と、を有することが好ましい。
【００１３】
本発明によれば、まず、電圧分圧部で、基準電圧から入力電圧までの範囲内で分圧して、複数の電圧を生成する。次に、電圧選択部で、生成した複数の電圧の中から２つを選択する。よって、第１の出力電圧および第２の出力電圧を、供給された２つの電圧の範囲内で生成できる。したがって、第１の出力電圧および第２の出力電圧を細かく調整できる。
【００１４】
また、上述のＬＥＤ駆動回路では、前記第２の電源回路は、抵抗が直列に接続された抵抗ラダー回路の両端に前記第１の出力電圧および前記第２の出力電圧が供給され電圧を分圧する電圧分圧部と、当該電圧分圧部から供給された複数の電圧を前記第２の制御信号に基づいて前記ＬＥＤの駆動電圧を選択して出力する電圧選択部と、を有することが好ましい。
【００１５】
本発明によれば、まず、電圧分圧部で、第１の出力電圧から第２の出力電圧までの範囲内で分圧して、複数の電圧を生成する。次に、電圧選択部で、生成した複数の電圧の中からいずれか１つを選択する。よって、ＬＥＤの駆動電圧を、供給された２つの電圧の範囲内で生成できる。したがって、ＬＥＤの駆動電圧を細かく調整できる。
【００１６】
本発明のＬＥＤ駆動回路は、異なる発光ピーク波長を有する複数のＬＥＤを駆動するＬＥＤ駆動回路であって、複数の駆動電流を生成するための入力電圧および前記入力電圧に対する基準電圧が供給され、第１の制御信号に基づいて前記入力電圧から第１の出力電流を生成する第１の電源回路と、前記第１の出力電流および前記基準電圧が供給され、第２の制御信号に基づいて前記ＬＥＤの駆動電流を出力する第２の電源回路と、を具備することを特徴とする。
【００１７】
本発明によれば、第１の電源回路と第２の電源回路を２段に接続してＬＥＤ駆動回路を構成した。このＬＥＤ駆動回路では、まず、第１の電源回路において、入力電圧および基準電圧から第１の出力電流を生成する。次に、第２の電源回路において、第１の出力電流からＬＥＤの駆動電流を生成する。よって、第１の電源回路は、１つの出力電流を生成する回路構成であり、第２の電源回路は、第１の電源回路で生成された１つの出力電流からＬＥＤの駆動電流を生成する回路構成であるから、第１の電源回路および第２の電源回路の回路規模をそれぞれ抑制できる。したがって、従来のように、電源回路を１段で構成した場合に比べ、無駄な回路を削減できるため、回路規模を抑えつつ駆動電流を細かく調整できる。
【００１８】
また、上述のＬＥＤ駆動回路では、前記第１の電源回路は、複数のトランジスタを備えカレントミラー回路が構成され前記入力電圧が供給される電流増幅部と、複数のトランジスタを備え前記電流増幅部から出力される電流を前記第１の制御信号に基づいて制御し第１の出力電流として出力する電流制御部と、を有することが好ましい。
【００１９】
本発明によれば、まず、電流増幅部で、入力電圧による電流に応じた複数の電流を生成する。次に、電流制御部で、生成した複数の電流をそれぞれ制御した後、これらの電流の和を第１の出力電流として生成する。よって、第１の出力電流を、入力電圧による電流のほぼ整数倍の電流として生成できる。したがって、第１の出力電流を広い範囲で調整できる。
【００２０】
また、上述のＬＥＤ駆動回路では、前記第２の電源回路は、スイッチング素子を備えるとともに前記第２の制御信号として矩形波が前記スイッチング素子に供給され、当該矩形波に基づいて前記第１の出力電流をパルス幅変調して前記ＬＥＤの駆動電流を出力するパルス幅変調回路を有することが好ましい。
【００２１】
本発明によれば、パルス幅変調回路で、第１の出力電流のパルス幅を変調する。よって、出力電流を、第１の出力電流以下の値で設定し、駆動電流として出力できる。したがって、駆動電流を細かく調整できる。
【００２２】
また、上述のＬＥＤ駆動回路を有することにより、小型化、高画質化に対応した照明装置、電気光学装置を提供できる。
【発明を実施するための最良の形態】
【００２３】
＜１．第１実施形態＞
図１は、本発明の第１実施形態に係るＬＥＤ駆動回路１００のブロック図である。このＬＥＤ駆動回路１００は、単一の発光ピーク波長を有するＬＥＤに応じて、ＬＥＤを駆動するＬＥＤ駆動単位回路を複数有する。本実施形態では、赤、緑、青の３つの異なる発光ピーク波長を有するＬＥＤをそれぞれ駆動するため、ＬＥＤ駆動回路１００は、ＬＥＤ駆動単位回路１０１、１０２、１０３を有する。ＬＥＤ駆動単位回路１０１、１０２、１０３のそれぞれからは、各ＬＥＤに駆動電圧が出力される。
【００２４】
ＬＥＤ駆動単位回路１０１は、第１の制御信号ＣＮＴ１に基づいて、入力電圧ＶＤＤＩＮおよび基準電圧ＧＮＤから、第１の出力電圧ＶＤＤＭＩＤ１および第２の出力電圧ＶＤＤＭＩＤ２を生成する第１の電源回路２００と、第２の制御信号ＣＮＴ２に基づいて、上述の第１の出力電圧および上述の第２の出力電圧から、ＬＥＤの駆動電圧ＶＤＤＯＵＴを生成する第２の電源回路３００と、を有する。
【００２５】
本実施形態では、ＬＥＤ駆動単位回路１０２、１０３は、それぞれ緑、青のＬＥＤを駆動し、赤のＬＥＤを駆動するＬＥＤ駆動単位回路１０１と同様の構成である。したがって、説明は省略する。
【００２６】
図２は、本発明の第１実施形態に係る第１の電源回路２００のブロック図である。
第１の電源回路２００は、基準電位ＧＮＤに対して入力電圧ＶＤＤＩＮを昇圧して、電圧ＶＤＤ２２１、ＶＤＤ２２２、ＶＤＤ２２３、ＶＤＤ２２４を生成する電圧昇圧部２２０と、第１の制御信号ＣＮＴ１に基づいて、上述の昇圧した複数の電圧および上述の基準電圧の中から、第１の出力電圧ＶＤＤＭＩＤ１および第２の出力電圧ＶＤＤＭＩＤ２を選択する電圧選択部２４０と、電圧昇圧部２２０にクロック信号ＣＬＫを供給する発振回路ＯＳＣと、を有する。
【００２７】
電圧昇圧部２２０は、基準電圧ＧＮＤに対して入力電圧ＶＤＤＩＮを昇圧するものであり、チャージポンプ回路２２１、２２２、２２３、２２４を有する。
【００２８】
チャージポンプ回路２２１は、コンデンサ２７０、２７４を含み、互いに連動して切り替わるスイッチング素子２７１、２７２と、これらのスイッチング素子を接続するコンデンサ２７３と、を有する。このチャージポンプ回路は、２段階で動作することにより、入力電圧ＶＤＤＩＮを電圧ＶＤＤ２２１に昇圧する。第１段階で、コンデンサ２７３の一端には、スイッチング素子２７１を介して入力電圧ＶＤＤＩＮが供給されるとともに、他端には、スイッチング素子２７２を介して基準電圧ＧＮＤが供給される。これにより、コンデンサ２７３には、入力電圧ＶＤＤＩＮが充電される。第２段階で、クロック信号ＣＬＫに同期してスイッチング素子２７１、２７２がそれぞれ切り替わり、コンデンサ２７３の一端には、スイッチング素子２７１を介してコンデンサ２７４の一端が接続されるとともに、他端には、スイッチング素子２７２を介して入力電圧ＶＤＤＩＮが供給される。これにより、コンデンサ２７３に充電された電圧ＶＤＤＩＮと入力電圧ＶＤＤＩＮの和である電圧ＶＤＤ２２１が生成される。つまり、チャージポンプ回路２２１は、入力電圧ＶＤＤＩＮを略２倍の電圧ＶＤＤ２２１に昇圧する。
【００２９】
チャージポンプ回路２２２は、コンデンサ２７８を含み、互いに連動して切り替わるスイッチング素子２７５、２７６と、これらのスイッチング素子を接続するコンデンサ２７７と、を有する。このチャージポンプ回路は、２段階で動作することにより、入力電圧ＶＤＤＩＮを電圧ＶＤＤ２２２に昇圧する。第１段階で、コンデンサ２７７の一端には、スイッチング素子２７５を介して入力電圧ＶＤＤＩＮが供給されるとともに、他端には、スイッチング素子２７６を介して基準電圧ＧＮＤが供給される。これにより、コンデンサ２７７には、入力電圧ＶＤＤＩＮが充電される。第２段階で、クロック信号ＣＬＫに同期してスイッチング素子２７５、２７６がそれぞれ切り替わり、コンデンサ２７７の一端には、スイッチング素子２７５を介してコンデンサ２７８の一端が接続されるとともに、他端には、スイッチング素子２７６を介して電圧ＶＤＤ２２１が供給される。これにより、コンデンサ２７７に充電された電圧ＶＤＤＩＮと電圧ＶＤＤ２２１の和である電圧ＶＤＤ２２２が生成される。電圧ＶＤＤ２２１は、入力電圧ＶＤＤＩＮの略２倍であるので、チャージポンプ回路２２２は、入力電圧ＶＤＤＩＮを略３倍の電圧ＶＤＤ２２２に昇圧する。
【００３０】
チャージポンプ回路２２３は、コンデンサ２８４を含み、互いに連動して切り替わるスイッチング素子２８１、２８２と、これらのスイッチング素子を接続するコンデンサ２８３と、を有する。チャージポンプ回路２２１、２２２と同様に動作することで、チャージポンプ回路２２３は、入力電圧ＶＤＤＩＮを略４倍の電圧ＶＤＤ２２３に昇圧する。
【００３１】
チャージポンプ回路２２４は、コンデンサ２８８を含み、互いに連動して切り替わるスイッチング素子２８５、２８６と、これらのスイッチング素子を接続するコンデンサ２８７と、を有する。チャージポンプ回路２２１、２２２、２２３と同様に動作することで、チャージポンプ回路２２４は、入力電圧ＶＤＤＩＮを略５倍の電圧ＶＤＤ２２４に昇圧する。
【００３２】
電圧選択部２４０は、第１の制御信号ＣＮＴ１に基づいて、上述の昇圧された電圧ＶＤＤ２２１〜ＶＤＤ２２４、および、上述の基準電圧ＧＮＤの中から、第１の出力電圧ＶＤＤＭＩＤ１および第２の出力電圧ＶＤＤＭＩＤ２を選択する、スイッチング素子２４１、２４２を有する。
【００３３】
スイッチング素子２４１は、上述の第１の制御信号に基づいて、上述の昇圧された複数の電圧のうちの電圧ＶＤＤ２２１、ＶＤＤ２２２、ＶＤＤ２２３、ＶＤＤ２２４の中から、１つを第１の出力電圧ＶＤＤＭＩＤ１として選択する。
【００３４】
スイッチング素子２４２は、上述の第１の制御信号に基づいて、上述の昇圧された複数の電圧のうちの電圧ＶＤＤ２２１、ＶＤＤ２２２、ＶＤＤ２２３、および、上述の基準電圧ＧＮＤの中から、１つを第２の出力電圧ＶＤＤＭＩＤ２として選択する。
【００３５】
第１の電源回路２００の動作について、以下に説明する。
電圧昇圧部２２０は、基準電圧ＧＮＤに対して入力電圧ＶＤＤＩＮを昇圧して、この入力電圧のそれぞれ略２倍、略３倍、略４倍、略５倍の電圧ＶＤＤ２２１、ＶＤＤ２２２、ＶＤＤ２２３、ＶＤＤ２２４を生成する。
電圧選択部２４０は、第１の制御信号ＣＮＴ１に基づいて、上述の昇圧した複数の電圧および上述の基準電圧の中から、第１の出力電圧ＶＤＤＭＩＤ１、および、第２の出力電圧ＶＤＤＭＩＤ２を選択する。
つまり、第１の電源回路２００は、基準電圧に対して入力電圧を昇圧して複数の電圧を生成し、第１の制御信号に基づいて、上述の生成した複数の電圧および基準電圧の中から、第１の出力電圧および第２の出力電圧を選択する。
【００３６】
ＬＥＤ駆動回路１００は、本実施形態の第１の電源回路２００を有することにより、以下の効果がある。第１の電源回路２００は、第１の出力電圧および第２の出力電圧を、入力電圧以上の値で生成できる。したがって、第１の出力電圧および第２の出力電圧を広い範囲で調整できる。
【００３７】
図３は、本発明の第１実施形態に係る第２の電源回路３００のブロック図である。
第２の電源回路３００は、抵抗３１１、３１２、３１３、３１４、３１５、３１６が直列に接続された抵抗ラダー回路を有し、この抵抗ラダー回路の両端には第１の出力電圧ＶＤＤＭＩＤ１、および、第２の出力電圧ＶＤＤＭＩＤ２が供給され、この２つの電圧の範囲内で分圧して、複数の電圧を生成する電圧分圧部３１０と、上述の生成した複数の電圧をインピーダンス変換して、電圧ＶＤＤ３３１、ＶＤＤ３３２、ＶＤＤ３３３、ＶＤＤ３３４、ＶＤＤ３３５を出力するインピーダンス変換部３３０と、第２の制御信号ＣＮＴ２に基づいて、上述の出力した複数の電圧、上述の第１の出力電圧、および、第２の出力電圧の中から、ＬＥＤの駆動電圧ＶＤＤＯＵＴを選択する電圧選択部３６０と、を有する。
【００３８】
電圧分圧部３１０は、抵抗ラダー回路により、出力電圧ＶＤＤＭＩＤ１から第２の出力電圧ＶＤＤＭＩＤ２までの範囲内で分圧する。
【００３９】
抵抗３１１と抵抗３１２との交点からは、抵抗３１１の抵抗値と、抵抗３１２、３１３、３１４、３１５、３１６の合成抵抗値との比に応じて、上述の第１の出力電圧から上述の第２の出力電圧までの範囲内で分圧され、出力される。
【００４０】
抵抗３１２と抵抗３１３、抵抗３１３と抵抗３１４、抵抗３１４と抵抗３１５、抵抗３１５と抵抗３１６のそれぞれの交点からは、抵抗３１１と抵抗３１２との交点からと同様に、各抵抗値に応じて、上述の第１の出力電圧から上述の第２の出力電圧までの範囲内で分圧され、出力される。
【００４１】
インピーダンス変換部３３０は、オペアンプ３３１、３３２、３３３、３３４、３３５を有する。
【００４２】
オペアンプ３３１は、出力端が反転入力端に接続され、ボルテージホロワ回路を構成する。非反転入力端には、上述の抵抗ラダー回路が有する抵抗３１１と３１２との交点から、分圧された電圧が供給される。出力端からは、この電圧のインピーダンスが下げられた電圧ＶＤＤ３３１が出力される。
【００４３】
オペアンプ３３２、３３３、３３４、３３５は、それぞれ、オペアンプ３３１と同様に、出力端が反転入力端に接続され、ボルテージホロワ回路を構成する。非反転入力端には、上述の抵抗ラダー回路が有する、抵抗３１２と抵抗３１３、抵抗３１３と抵抗３１４、抵抗３１４と抵抗３１５、抵抗３１５と抵抗３１６、の交点から、それぞれ分圧された電圧が供給される。出力端からは、これらの電圧のインピーダンスが下げられた電圧ＶＤＤ３３２、ＶＤＤ３３３、ＶＤＤ３３４、ＶＤＤ３３５が出力される。
【００４４】
なお、上述のオペアンプには、各オペアンプの駆動電圧として、それぞれ、第１の出力電圧ＶＤＤＭＩＤ１と第２の出力電圧ＶＤＤＭＩＤ２とが供給される。このため、消費電力が低減される。
【００４５】
電圧選択部３６０は、第２の制御信号ＣＮＴ２に基づいて、上述のインピーダンス変換された電圧ＶＤＤ３３１、ＶＤＤ３３２、ＶＤＤ３３３、ＶＤＤ３３４、ＶＤＤ３３５と、上述の第１の出力電圧ＶＤＤＭＩＤ１と、上述の第２の出力電圧ＶＤＤＭＩＤ２との中から、ＬＥＤの駆動電圧ＶＤＤＯＵＴを選択するスイッチング素子３６１を有する。
【００４６】
第２の電源回路３００の動作について、以下に説明する。
電圧分圧部３１０は、第１の出力電圧ＶＤＤＭＩＤ１から第２の出力電圧ＶＤＤＭＩＤ２までの範囲内で電圧を分圧する。
インピーダンス変換部３３０は、上述の分圧した複数の電圧のインピーダンスを下げ、電圧ＶＤＤ３３１、ＶＤＤ３３２、ＶＤＤ３３３、ＶＤＤ３３４、ＶＤＤ３３５を出力する。
電圧選択部３６０は、上述のインピーダンス変換した複数の電圧と、上述の第１の出力電圧と、上述の第２の出力電圧と、の中から、ＬＥＤの駆動電圧ＶＤＤＯＵＴを選択する。
つまり、第２の電源回路３００は、第１の出力電圧から第２の出力電圧までの範囲内で分圧して複数の電圧を生成し、第２の制御信号に基づいて、上述の生成した複数の電圧の中から、ＬＥＤの駆動電圧ＶＤＤＯＵＴを選択する。
【００４７】
ＬＥＤ駆動回路１００は、本実施形態の第２の電源回路３００を有することにより、以下の効果がある。第２の電源回路３００は、ＬＥＤの駆動電圧を、供給された２つの電圧の範囲内で生成できる。したがって、ＬＥＤの駆動電圧を細かく調整できる。
【００４８】
本実施形態によれば、以下の効果がある。第１の電源回路２００で、入力電圧より高い電圧が生成され、第２の電源回路３００で、上述の生成された電圧を分圧してＬＥＤの駆動電圧が生成される。このため、ＬＥＤの駆動電圧を、広い範囲で、かつ、細かく調整できる。また、従来のように電源回路を１段で構成した場合に比べ、無駄な回路を削減できるため、回路規模を抑制できる。
【００４９】
ここで、ＬＥＤ駆動回路１００の回路規模について説明する。
【００５０】
図４は、ＬＥＤの駆動電圧と輝度の特性の例を表す図である。この図は同時に、ＬＥＤの駆動電流と輝度の特性の例も表す。この図において、例えば、ＬＥＤの駆動電圧Ｖ１、Ｖ２、Ｖ３、Ｖ４が、それぞれ、４Ｖ、３Ｖ、２Ｖ、１Ｖであり、入力電圧ＶＤＤＩＮとして０Ｖから４Ｖの間の任意の電圧と、基準電圧ＧＮＤとして０Ｖとが供給され、ＬＥＤの駆動電圧ＶＸとして、０Ｖから４Ｖの間で１００ｍＶ刻みで調整される任意の電圧が、ＬＥＤに出力されるＬＥＤ駆動回路を想定する。
【００５１】
まず、ＬＥＤ駆動回路が、従来のように抵抗ラダー回路を有する電源回路のみを有する場合、つまり、電源回路を１段で構成した場合について考える。この場合、入力電圧以下の値でしかＬＥＤの駆動電圧を生成できない。このため、入力電圧ＶＤＤＩＮは、４Ｖ以上でなくてはならない。例えば、入力電圧として４Ｖの電圧が供給される場合、ＬＥＤの駆動電圧を０Ｖから４Ｖの間で１００ｍＶ刻みで調整するためには、抵抗が４０個必要となる。
【００５２】
一方、ＬＥＤ駆動回路が、本実施形態のように、チャージポンプ回路を有する第１の電源回路と、抵抗ラダー回路を有する第２の電源回路と、を備える場合、つまり、電源回路を２段で構成した場合について考える。この場合、チャージポンプ回路を有するため、入力電圧ＶＤＤＩＮは、ＬＥＤの駆動電圧ＶＸよりも低い電圧あってもよい。上述の入力電圧は、第１の電源回路で、昇圧されＬＥＤの駆動電圧を間に挟む２つの電圧が生成される。これらの２つの電圧は、第２の電源回路で、１００ｍＶ刻みで分圧され、ＬＥＤの駆動電圧として出力される。例えば、入力電圧として１Ｖの電圧が供給され、ＬＥＤの駆動電圧ＶＸとして３．５Ｖの電圧が出力されるものとする。この場合、第１の電源回路では、３Ｖおよび４Ｖの２つの電圧が生成される。これら２つの電圧が、第２の電源回路で、１００ｍＶ刻みで分圧され、３．５ＶのＬＥＤの駆動電圧として出力されるために、必要な抵抗は１０個で足りる。このように、ＬＥＤの駆動電圧を間に挟む２つの電圧、つまり、０Ｖと１Ｖ、１Ｖと２Ｖ、２Ｖと３Ｖ、３Ｖと４Ｖのいずれか１組が第１の電源回路で生成され、それら２つの電圧の範囲内で１００ｍＶ刻みで分圧して、ＬＥＤの駆動電圧として出力すればよい。したがって、駆動電圧を０Ｖから４Ｖの間で１００ｍＶ刻みで調整するために、必要な抵抗が１０個で足りる。
【００５３】
したがって、ＬＥＤ駆動回路が第１の電源回路と第２の電源回路の２段を有し、これらの電源回路を順次接続することにより、ＬＥＤ駆動回路の回路規模を抑えつつ駆動電圧を細かく調整できる。また、入力電圧を下げることができるため、消費電力を低減できる。
【００５４】
なお、抵抗ラダー回路を構成する抵抗３１１、３１２、３１３、３１４、３１５、３１６は、ＬＥＤの駆動電圧と輝度の特性を反映して、輝度の変化が均等となるようにＬＥＤの駆動電圧を調整するため、抵抗値をそれぞれ別個に設定してもよい。
すなわち、ＬＥＤの駆動電圧と、輝度と、の関係は、図４に示すように非線形である。輝度を均一の段階で調整するため、抵抗ラダー回路の抵抗をそれぞれ別個に設定して、ＬＥＤの駆動電圧を非線形に調整できる。
【００５５】
＜２．第２実施形態＞
本発明の第２実施形態においては、ＬＥＤ駆動単位回路の有する第１の電源回路および第２の電源回路の構成が、第１実施形態と異なる。したがって、第１の電源回路および第２の電源回路の構成について、以下に説明する。本実施形態の他の構成については、第１実施形態と同様のため、説明を省略する。
【００５６】
図５は、本実施形態に係る第１の電源回路５００のブロック図である。
第１の電源回路５００は、抵抗５２１、５２２、５２３、５２４、５２５、５２６が直列に接続された抵抗ラダー回路を有し、この抵抗ラダー回路の両端には入力電圧ＶＤＤＩＮおよび基準電圧ＧＮＤが供給され、上述の基準電位から上述の入力電圧までの範囲内で分圧して、電圧ＶＤＤ５２１、ＶＤＤ５２２、ＶＤＤ５２４を生成する電圧分圧部５２０と、第１の制御信号ＣＮＴ１に基づいて、上述の分圧した複数の電圧および上述の基準電圧の中から、第１の出力電圧ＶＤＤＭＩＤ１および第２の出力電圧ＶＤＤＭＩＤ２を選択する電圧選択部５４０と、を有する。
【００５７】
電圧分圧部５２０は、抵抗ラダー回路により、基準電圧ＧＮＤから入力電圧ＶＤＤＩＮまでの範囲内で分圧する。
【００５８】
抵抗５２１と抵抗５２２との交点からは、抵抗５２１の抵抗値と、抵抗５２２、５２３、５２４、５２５、５２６の合成抵抗値との比に応じて、上述の基準電圧から上述の入力電圧までの範囲内で分圧され、電圧ＶＤＤ５２１として出力される。
【００５９】
抵抗５２２と抵抗５２３、抵抗５２４と抵抗５２５とのそれぞれの交点からは、抵抗５２１と抵抗５２２との交点からと同様に、各抵抗値に応じて、上述の基準電圧から上述の入力電圧までの範囲内で分圧され、電圧ＶＤＤ５２２、ＶＤＤ５２４として出力される。
【００６０】
電圧選択部５４０は、第１の制御信号ＣＮＴ１に基づいて、上述の分圧された電圧ＶＤＤ５２１、ＶＤＤ５２２、ＶＤＤ５２４と、入力電圧ＶＤＤＩＮと、基準電圧ＧＮＤと、の中から、第１の出力電圧ＶＤＤＭＩＤ１および第２の出力電圧ＶＤＤＭＩＤ２を選択する、スイッチング素子５４１、５４２を有する。
【００６１】
スイッチング素子５４１は、上述の第１の制御信号に基づいて、上述の分圧された複数の電圧および上述の入力電圧の中から、１つを第１の出力電圧ＶＤＤＭＩＤ１として選択する。
【００６２】
スイッチング素子５４２は、上述の第１の制御信号に基づいて、上述の分圧された複数の電圧および上述の基準電圧の中から、１つを第２の出力電圧ＶＤＤＭＩＤ２として選択する。
【００６３】
第１の電源回路５００の動作について、以下に説明する。
電圧分圧部５２０は、基準電圧ＧＮＤから入力電圧ＶＤＤＩＮまでの範囲内で分圧して、電圧ＶＤＤ５２１、ＶＤＤ５２２、ＶＤＤ５２４、を生成する。
電圧選択部５４０は、第１の制御信号ＣＮＴ１に基づいて、上述の分圧した複数の電圧と、上述の入力電圧と、上述の基準電圧の中から、第１の出力電圧ＶＤＤＭＩＤ１および第２の出力電圧ＶＤＤＭＩＤ２を選択する。
つまり、第１の電源回路５００は、基準電圧から入力電圧までの範囲内で分圧して、複数の電圧を生成し、第１の制御信号に基づいて、上述の分圧した複数の電圧、上述の基準電圧、および、上述の入力電圧の中から、第１の出力電圧および第２の出力電圧を選択する。
【００６４】
ＬＥＤ駆動回路１１０は、本実施形態の第１の電源回路５００を有することにより、以下の効果がある。第１の電源回路５００は、第１の出力電圧および第２の出力電圧を、基準電圧から入力電圧の範囲内で生成できる。したがって、出力電圧を細かく調整できる。
【００６５】
なお、本実施形態では、抵抗ラダー回路により分圧されて電圧選択部５４０に供給される電圧は、電圧ＶＤＤ５２１、ＶＤＤ５２２、ＶＤＤ５２４の３種類であるが、本発明はこれに限らない。例えば、本発明は、より細かく電圧を調整するために、４種類以上の電圧が抵抗ラダー回路で分圧されて出力されるものであってもよい。
【００６６】
図６は、本実施形態に係る第２の電源回路６００のブロック図である。
第２の電源回路６００は、第１の出力電圧ＶＤＤＭＩＤ１および第２の出力電圧ＶＤＤＭＩＤ２をインピーダンス変換して、電圧ＶＤＤ６１１およびＶＤＤ６１２を出力する第１のインピーダンス変換部６１０と、抵抗６３１、６３２、６３３、６３４、６３５、６３６が直列に接続された抵抗ラダー回路を有し、この抵抗ラダー回路の両端には上述のインピーダンス変換した２つの電圧が供給され、この２つの電圧の範囲内で分圧して、電圧ＶＤＤ６３１、ＶＤＤ６３２、ＶＤＤ６３３、ＶＤＤ６３４、ＶＤＤ６３５を生成する電圧分圧部６３０と、上述の分圧した複数の電圧および上述のインピーダンス変換した２つの電圧の中から、１つの電圧を選択する電圧選択部６５０と、上述の選択した電圧をインピーダンス変換して、ＬＥＤの駆動電圧ＶＤＤＯＵＴとして出力する第２のインピーダンス変換部６７０と、を有する。
【００６７】
第１のインピーダンス変換部６１０は、オペアンプ６１１、６１２を有する。
【００６８】
オペアンプ６１１は、出力端が反転入力端に接続され、ボルテージホロワ回路を構成する。非反転入力端には、第１の出力電圧ＶＤＤＭＩＤ１が供給される。出力端からは、この電圧のインピーダンスが下げられた電圧ＶＤＤ６１１が出力される。
【００６９】
オペアンプ６１２は、オペアンプ６１１と同様に、出力端が反転入力端に接続され、ボルテージホロワ回路を構成する。非反転入力端には、第２の出力電圧ＶＤＤＭＩＤ２が供給される。出力端からは、この電圧のインピーダンスを下げられた電圧ＶＤＤ６１２が出力される。
【００７０】
なお、上述のオペアンプには、各オペアンプの駆動電圧として、それぞれ、第１の出力電圧ＶＤＤＭＩＤ１、および、第２の出力電圧ＶＤＤＭＩＤ２が供給される。このため、消費電力が低減される。
【００７１】
電圧分圧部６３０は、抵抗ラダー回路により、上述の電圧ＶＤＤ６１１から上述の電圧ＶＤＤ６１２までの範囲内で分圧する。
【００７２】
抵抗６３１と抵抗６３２との交点からは、抵抗６３１の抵抗値と、抵抗６３２、６３３、６３４、６３５、６３６の合成抵抗値との比に応じて、上述のインピーダンス変換した電圧ＶＤＤ６１１から上述のインピーダンス変換した電圧ＶＤＤ６１２までの範囲内で分圧され、出力される。
【００７３】
抵抗６３２と抵抗６３３、抵抗６３３と抵抗６３４、抵抗６３４と抵抗６３５、抵抗６３５と抵抗６３６とのそれぞれの交点からは、抵抗６３１と抵抗６３２との交点からと同様に、各抵抗値に応じて、上述の電圧ＶＤＤ６１１から上述の電圧ＶＤＤ６１２までの範囲内で分圧され、出力される。
【００７４】
電圧選択部６５０は、第２の制御信号ＣＮＴ２に基づいて、上述の分圧された電圧ＶＤＤ６３１、ＶＤＤ６３２、ＶＤＤ６３３、ＶＤＤ６３４、ＶＤＤ６３５と、上述の第１の出力電圧ＶＤＤＭＩＤ１と、上述の第２の出力電圧ＶＤＤＭＩＤ２との中から、１つの電圧を選択するスイッチング素子６５１を有する。
【００７５】
第２のインピーダンス変換部６７０は、出力電圧の範囲がほぼ駆動電圧の範囲となる、Ｒａｉｌ−ｔｏ−Ｒａｉｌのオペアンプ６７１を有する。
【００７６】
オペアンプ６７１は、出力端が反転入力端に接続され、ボルテージホロワ回路を構成する。非反転入力端には、上述の選択された１つの電圧が供給される。出力端からは、この電圧のインピーダンスが下げられたＬＥＤの駆動電圧ＶＤＤＯＵＴが出力される。
【００７７】
なお、上述のオペアンプには、各オペアンプの駆動電圧として、電圧ＶＤＤ６１１と電圧ＶＤＤ６１２とが供給される。このため、消費電力が低減される。
【００７８】
第２の電源回路６００の動作について、以下に説明する。
第１のインピーダンス変換部６１０は、第１の出力電圧ＶＤＤＭＩＤ１および第２の出力電圧ＶＤＤＭＩＤ２のインピーダンスを下げ、電圧ＶＤＤ６１１、ＶＤＤ６１２をそれぞれ出力する。
電圧分圧回路６３０は、上述のインピーダンス変換した２つの電圧の範囲内で分圧して、電圧ＶＤＤ６３１、ＶＤＤ６３２、ＶＤＤ６３３、ＶＤＤ６３４、ＶＤＤ６３５を生成する。
電圧選択部６５０は、上述の分圧した複数の電圧と、上述の第１の出力電圧と、上述の第２の出力電圧と、の中から、１つの電圧を選択する。
第２のインピーダンス変換部６７０は、上述の選択した１つの電圧のインピーダンスを下げ、ＬＥＤの駆動電圧ＶＤＤＯＵＴとして出力する。
つまり、第２の電源回路６００は、第１の出力電圧から第２の出力電圧までの範囲内で分圧して複数の電圧を生成し、第２の制御信号に基づいて、分圧した複数の電圧の中からいずれか１つを選択し、ＬＥＤの駆動電圧ＶＤＤＯＵＴを出力する。
【００７９】
ＬＥＤ駆動回路１１０は、本実施形態の第２の電源回路６００を有することにより、以下の効果がある。第２の電源回路６００は、出力電圧を、供給された２つの電圧の範囲内で生成し、ＬＥＤの駆動電圧として出力できる。したがって、ＬＥＤの駆動電圧を細かく調整できる。
【００８０】
本実施形態によれば、以下の効果がある。第１の電源回路５００で、入力電圧が分圧され、第２の電源回路６００で、上述の分圧された電圧をさらに分圧してＬＥＤの駆動電圧が生成される。このため、ＬＥＤの駆動電圧を、細かく調整できる。また、従来のように、電源回路を１段で構成した場合に比べ、無駄な回路を削減できるため、回路規模を抑制できる。
【００８１】
＜３．第３実施形態＞
本発明の第３実施形態においては、ＬＥＤ駆動単位回路の有する第１の電源回路および第２の電源回路の構成と、これらの接続とが、第１実施形態と異なる。したがって、まず、本実施形態における、第１の電源回路および第２の電源回路の接続について説明し、次に、第１の電源回路および第２の電源回路の構成について説明する。本実施形態の他の構成については、第１実施形態と同様のため、説明を省略する。
【００８２】
図７は、本実施形態に係るＬＥＤ駆動回路１２０のブロック図である。第１の電源回路８００から第２の電源回路９００に出力されるのは、電流ＩＤＤＭＩＤである。また、第１の制御信号ＣＮＴ１は、４つの制御信号ＣＮＴ１Ａ、ＣＮＴ１Ｂ、ＣＮＴ１Ｃ、ＣＮＴ１Ｄを含む４ビットの信号である。
【００８３】
次に、本実施形態における第１の電源回路８００と、第２の電源回路９００について説明する。
【００８４】
図８は、本実施形態に係る第１の電源回路８００のブロック図である。
第１の電源回路８００は、トランジスタ８１１およびトランジスタ８１２、８１３、８１４、８１５のゲートが互いに接続されたカレントミラー回路を有し、このカレントミラー回路には入力電圧ＶＤＤＩＮが供給され、この入力電圧による電流に応じた複数の電流を生成する電流増幅部８１０と、電流増幅部８１０に接続される定電流回路部８３０と、トランジスタ８５２、８５３、８５４、８５５を有し、第２の制御信号ＣＮＴ１に基づいて、上述の生成した複数の電流を制御して、これらの制御した複数の電流の和を第１の出力電流ＩＤＤＭＩＤとして出力する電流制御部８５０と、を有する。
【００８５】
電流増幅部８１０は、カレントミラー回路により、トランジスタ８１１に流れる電流に応じた複数の電流を生成する。
【００８６】
トランジスタ８１１には、入力電圧ＶＤＤＩＮによる電流が流れる。この電流により、トランジスタ８１２、８１３、８１４、８１５のそれぞれにも、トランジスタ比に応じた定数倍の電流が流れる。
【００８７】
定電流回路部８３０は、トランジスタ８３１を有する。このトランジスタのソースは、上述のトランジスタ８１１のドレインに接続され、定電流回路を構成する。このトランジスタは、上述のトランジスタ８１１に流れる電流を定電流とする。
【００８８】
電流制御部８５０は、トランジスタ８５２、８５３、８５４、８５５を有する。
【００８９】
トランジスタ８５２は、制御信号ＣＮＴ１Ａに基づいて、トランジスタ８１２に流れる電流のオン、オフを制御する。例えば、トランジスタ８５２がｐチャネルのトランジスタである場合、制御信号ＣＮＴ１ＡがＬレベルでＯＮ状態となる。この場合、トランジスタ８１２に流れる電流が、トランジスタ８５２にも流れる。
【００９０】
トランジスタ８５３、８５４、８５５は、トランジスタ８５２と同様に、それぞれ、制御信号ＣＮＴ１Ｂ、ＣＮＴ１Ｃ、ＣＮＴ１Ｄに基づいて、トランジスタ８１３、８１４、８１５に流れる電流のオン、オフを制御する。
【００９１】
トランジスタ８５２、８５３、８５４、８５５で制御された電流の和が、第１の出力電流ＩＤＤＭＩＤとして出力される。
【００９２】
第１の電源回路８００の動作について、以下に説明する。
電流増幅部８１０は、入力電圧ＶＤＤＩＮによる電流に応じた複数の電流を生成する。
定電流回路部８３０は、これらの生成した複数の電流を定電流とする。
電流制御部８５０は、これらの定電流とした複数の電流のオン、オフを制御し、これらの制御した複数の電流の和を第１の出力電流ＩＤＤＭＩＤとして出力する。
つまり、第１の電源回路８００は、トランジスタ８１１に流れる定電流のほぼ整数倍を、第１の出力電流として出力する。
【００９３】
ＬＥＤ駆動回路１２０は、本実施形態の第１の電源回路８００を有することにより、以下の効果がある。第１の電源回路８００は、第１の出力電流を、入力電圧のほぼ整数倍の電流として生成できる。したがって、出力電流を広い範囲で調整できる。
【００９４】
図９は、本実施形態に係る第２の電源回路９００のブロック図である。
第２の電源回路９００は、第２の制御信号ＣＮＴ２に基づいて、第１の出力電流ＩＤＤＭＩＤのパルス幅を変調するスイッチング素子９０１を有する。
【００９５】
スイッチング素子９０１には、第１の出力電流ＩＤＤＭＩＤと、第２の制御信号ＣＮＴ２として外部から矩形波と、が供給される。このスイッチング素子はパルス幅変調回路を構成し、上述の第２の制御信号に応じてオン、オフを繰り返す。
【００９６】
第２の電源回路９００の動作について、以下に説明する。
スイッチング素子９０１は、第１の出力電流ＩＤＤＭＩＤを、第２の制御信号ＣＮＴ２のデューティに応じてパルス幅変調し、ＬＥＤの駆動電流ＩＤＤＯＵＴとして出力する。
【００９７】
図１０は、スイッチング素子９０１から出力される電流ＩＤＤＯＵＴと、第２の制御信号ＣＮＴ２の関係を表す図である。スイッチング素子９０１がｐチャネルのトランジスタである場合、第２の制御信号ＣＮＴ２がＬレベルでＯＮ状態となり、スイッチング素子９０１に電流が流れる。第２の制御信号ＣＮＴ２のＬレベル期間が全周期の５０％である場合、ＬＥＤの駆動電流ＩＤＤＯＵＴは、第１の出力電流ＩＤＤＭＩＤの５０％に調整される。また、第２の制御信号ＣＮＴ２が７５％Ｌレベルである場合、ＬＥＤの駆動電流ＩＤＤＯＵＴは、第１の出力電流ＩＤＤＭＩＤの７５％に調整される。
【００９８】
ＬＥＤ駆動回路１２０は、本実施形態の第２の電源回路９００を有することにより、以下の効果がある。ＬＥＤ駆動回路１２０は、出力電流を、入力電流以下の値で設定し、ＬＥＤの駆動電流として出力できる。したがって、ＬＥＤの駆動電流を細かく調整できる。
【００９９】
本実施形態によれば、以下の効果がある。第１の電源回路２００で、入力電圧の定数倍の電流が生成され、第２の電源回路３００で、上述の生成された電流以下の値がＬＥＤの駆動電流として設定される。このため、ＬＥＤの駆動電流を、広い範囲で、かつ、細かく調整できる。また、従来のように電源回路を１段で構成した場合に比べ、無駄な回路を削減できるため、回路規模を抑制できる。
【０１００】
＜４．変形例、改良例＞
なお、本発明は上述の実施形態に限定されるものではなく、本発明の目的を達成できる範囲での変形、改良等は本発明に含まれるものである。例えば、本発明は上述の実施形態の特徴部分の順序を入れ替えたもの、あるいは組み合わせたものであってもよい。
例えば、３段以上の電源回路を、入力節点および出力節点を介して順次接続したものであってもよい。
【０１０１】
＜５．電気光学装置＞
図１１は、本発明の第４実施形態に係る電気光学装置１の構成を示す斜視図であり、図１２は、図１１におけるＺ−Ｚ´断面図である。電気光学装置１は、筐体１６０（図１２中破線で示す）に収納されている。電気光学装置１は、液晶パネル６０と、バックライト５０と、を有する。液晶パネル６０は、画素電極４０６等が形成された第１の基板としての素子基板１５１と、この素子基板１５１に対向配置されかつ共通電極１５８等が形成された第２の基板としての対向基板１５２と、素子基板１５１および対向基板１５２の間に設けられた電気光学物質としての液晶１５５とを有する。素子基板１５１は、ガラスや半導体等で形成され、この素子基板１５１上には、ＴＦＴ（Thin Film Transistor：薄膜トランジスタ）を用いて各種の回路等が形成される。また、対向基板１５２は、ガラス等の透明性の材料で形成される。バックライト５０は、素子基板１５１の下側（対向基板１５２とは反対側）に設けられて液晶１５５に光を照射するため、異なる発光ピーク波長を有する複数のＬＥＤ、例えば、発光ピーク波長がそれぞれ赤、緑、青であるＬＥＤ５５Ｒ、５５Ｇ、５５Ｂを有するバックライトユニット５１と、バックライトユニット５１が有するＬＥＤ５５Ｒ、５５Ｇ、５５Ｂに駆動電源を供給するＬＥＤ駆動部１３０Ａとを有する。ＬＥＤ駆動部１３０Ａには、第１実施形態のＬＥＤ駆動回路１００が形成されている。
【０１０２】
対向基板１５２の外周部には、素子基板１５１および対向基板１５２の間隙を封止するシール部材１５４が設けられている。このシール部材１５４は、素子基板１５１および対向基板１５２とともに、液晶１５５が封入される空間を形成する。シール部材１５４には、素子基板１５１および対向基板１５２の間隔を保持するため、スペーサ１５３が混入されている。なお、シール部材１５４には、液晶１５５を封入するための開口部が形成されており、この開口部は、液晶１５５の封入後に封止材１５６で封止されている。
【０１０３】
図１３は、ＬＥＤ駆動回路１００と、ＬＥＤ５５Ｒ、５５Ｇ、５５Ｂとの関係を示すブロック図である。ＬＥＤ駆動回路１００には、電源回路から、電圧ＶＤＤＩＮと、グラウンド電位ＧＮＤとが供給される。また、ＬＥＤ駆動回路１００が取り付けられる、例えば、携帯機器といった電子機器の有するＣＰＵからは、制御信号ＣＮＴ１と、ＣＮＴ２とが供給される。ＬＥＤ駆動回路１００が有するＬＥＤ駆動単位回路１０１、１０２、１０３のそれぞれからは、３種のＬＥＤ５５Ｒ、５５Ｇ、５５Ｂに、ＬＥＤの駆動電圧ＶＤＤＯＵＴ１、ＶＤＤＯＵＴ２、ＶＤＤＯＵＴ３が供給されている。ＣＰＵから、３種のＬＥＤ５５Ｒ、５５Ｇ、５５Ｂごとに供給される制御信号に応じて、ＬＥＤ５５Ｒ、５５Ｇ、５５Ｂに供給するＬＥＤの駆動電圧ＶＤＤＯＵＴ１、ＶＤＤＯＵＴ２、ＶＤＤＯＵＴ３を制御する。このため、ＬＥＤ５５Ｒ、５５Ｇ、５５Ｂでは、色調が精細に調整される。
【０１０４】
電気光学装置１が、上述のＬＥＤ駆動回路１００を有するバックライト５０を有することにより、以下の効果がある。
ＬＥＤ駆動回路１００を有することにより、バックライト５０は、回路規模を抑えつつ良好な色調の光源を実現できる。したがって、電気光学装置１は、回路規模を抑えつつ、高い色再現性を実現し、高画質化できる。
【０１０５】
なお、ＬＥＤ駆動回路１３０Ａに形成されたＬＥＤ駆動回路としては、第１実施形態のＬＥＤ駆動回路１００に限らず、第２実施形態のＬＥＤ駆動回路１１０、または第３実施形態のＬＥＤ駆動回路１２０を用いてもよい。
【０１０６】
＜６．電子機器＞
【０１０７】
次に、上述した実施形態および応用例に係る電気光学装置１を適用した電子機器について説明する。図１４に、電気光学装置１を適用した携帯電話機の構成を示す。携帯電話機３０００は、複数の操作ボタン３００１およびスクロールボタン３００２、ならびに表示ユニットとしての電気光学装置１を有する。スクロールボタン３００２を操作することによって、電気光学装置１に表示される画面がスクロールされる。
【図面の簡単な説明】
【０１０８】
【図１】本発明の第１実施形態に係るＬＥＤ駆動回路のブロック図である。
【図２】本発明の第１実施形態に係る第１の電源回路のブロック図である。
【図３】本発明の第１実施形態に係る第２の電源回路のブロック図である。
【図４】バックライト用ＬＥＤの駆動電圧と輝度の特性の例を表す図である。
【図５】本発明の第２実施形態に係る第１の電源回路のブロック図である。
【図６】本発明の第２実施形態に係る第２の電源回路のブロック図である。
【図７】本発明の第３実施形態に係るＬＥＤ駆動回路のブロック図である。
【図８】本発明の第３実施形態に係る第１の電源回路のブロック図である。
【図９】本発明の第３実施形態に係る第２の電源回路のブロック図である。
【図１０】スイッチング素子の出力電流と制御信号の関係を表した図である。
【図１１】本発明の第４実施形態に係る電気光学装置の構造を示す斜視図である。
【図１２】上述の電気光学装置の構造を説明するためのＺ−Ｚ´断面図である。
【図１３】ＬＥＤ駆動回路とＬＥＤとの関係を示すブロック図である。
【図１４】上述の電気光学装置を適用した携帯電話機の構成を示す斜視図である。
【符号の説明】
【０１０９】
５０…バックライト、５１…バックライトユニット、５５Ｒ、５５Ｇ、５５Ｂ…ＬＥＤ、１００、１１０、１２０…ＬＥＤ駆動回路、１３０Ａ…ＬＥＤ駆動部、１０１、１１１、１２１…赤のバックライト用ＬＥＤのＬＥＤ駆動単位回路、１０２、１１２、１２２…緑のバックライト用ＬＥＤのＬＥＤ駆動単位回路、１０３、１１３、１２３…青のバックライト用ＬＥＤのＬＥＤ駆動単位回路、２００、５００、８００…第１の電源回路、３００、６００、９００…第２の電源回路。
【図１】
2006332022.tif 000003
【図２】
2006332022.tif 000004
【図３】
2006332022.tif 000005
【図４】
2006332022.tif 000006
【図５】
2006332022.tif 000007
【図６】
2006332022.tif 000008
【図７】
2006332022.tif 000009
【図８】
2006332022.tif 000010
【図９】
2006332022.tif 000011
【図１０】
2006332022.tif 000012
【図１１】
2006332022.tif 000013
【図１２】
2006332022.tif 000014
【図１３】
2006332022.tif 000015
【図１４】
2006332022.tif 000016